(57)【特許請求の範囲】
【請求項１】
内鍋を収納する炊飯器本体と、前記炊飯器本体の上面開口部を覆い一端を炊飯器本体に設けたヒンジ部で回動自在とした外蓋と、前記外蓋の下端面に前記内鍋の上面を覆うように着脱自在に設け内鍋を密閉し得る鍋パッキンを有する内蓋ユニット部材とを備え、前記外蓋は台形の保持穴を有し、かつ、前記内蓋ユニット部材は、一端に蓋係合部を突設するとともに他端に外蓋に設けた保持爪に係合する係止片を配設し、台形の前記蓋係合部を前記外蓋に設けた保持穴に内方より挿入し、前記係止片を前記保持爪に係合して前記外蓋に装着可能とし、前記外蓋の保持穴と内蓋ユニット部材の蓋係合部とで内蓋ユニット部材の表裏逆セットを防止するよう構成した炊飯器。
【発明の詳細な説明】
【０００１】
【発明の属する技術分野】
本発明は、外蓋の下端面に内鍋の上面を覆うように着脱自在に設けた内蓋ユニット部材を有する炊飯器に関するものである。
【０００２】
【従来の技術】
従来、この種の炊飯器は、図８および図９に示すように構成していた。以下、その構成について説明する。
【０００３】
図８に示すように、炊飯器本体５３は、ヒンジ部５１と係止部５２とを設け、炊飯器本体５３の上面開口部を覆う外蓋５４の一端をヒンジ部５１で回動自在とし、他端を係支部５２で係止可能としている。この炊飯器本体５３の内部に内鍋５５を着脱自在に収納している。外蓋５４の下方には、内鍋５５の上部をシールする蓋パッキン６２を具備する内蓋ユニット部材５６を着脱自在に装着している。
【０００４】
また、内蓋ユニット部材５６の先端部に、蓋閉時に係止部５２と係合する蓋係合部５７を一体に設け、外蓋５４の前部下方には蓋係合部５７を保持する保持穴５８を設けている。ここで、内蓋ユニット部材５６の蓋係合部５７と外蓋５４の保持穴５８は同形状に構成している。
【０００５】
また、内蓋ユニット部材５６の外周２箇所には、図９に示すように、内蓋ユニット部材５６の着脱操作時に使用するリブ状のつまみ部５９を有し、つまみ部５９には、取付時に外蓋５４に設けた内蓋ユニット部材係部６０と保持係合する引掛けつめ６１を一体に形成している。
【０００６】
内蓋ユニット部材５６をセットするときは、外蓋５４の保持穴５８に蓋係合部５７を挿入した後、つまみ部５９を押し込み、引掛けつめ６１を係合させる。また、取り外すときは、リブ状のつまみ部５９を引掛けつめ６１が開放される位置まで内側に倒すことにより取り外すよう構成している。
【０００７】
【発明が解決しようとする課題】
しかしながら、このような従来のような構成では、手入れした内蓋ユニット部材５６を外蓋５４にセットする際に、内蓋ユニット部材５６の蓋係合部５７と外蓋５４の保持穴５８とを同形状で構成しているため、ある一定以上の力を加え、こじたようなセットを行なうと、内蓋ユニット部材５６の表裏の逆セットができてしまう。
【０００８】
このために、内蓋ユニット部材５６の蓋係合部５７に変形が生じたり、内蓋ユニット部材５６自体が変形してしまい、内蓋ユニット部材５６と蓋パッキン６２のシール性が確保できなくなり、炊飯中に発生した内鍋５５内の蒸気がもれてしまうような問題を有していた。
【０００９】
本発明は上記従来の課題を解決するもので、着脱自在の内蓋ユニット部材の外蓋へのセットの方向を一方向に規制し、表裏逆セットを防止することを目的としている。
【００１０】
【課題を解決するための手段】
本発明は上記目的を達成するために、内鍋を収納する炊飯器本体の上面開口部を、一端を炊飯器本体に設けたヒンジ部で回動自在とした外蓋で覆い、外蓋の下端面に内鍋の上面を覆うように内鍋を密閉し得る鍋パッキンを有する内蓋ユニット部材を着脱自在に設け、前記外蓋は台形の保持穴を有し、かつ、前記内蓋ユニット部材は、一端に蓋係合部を突設するとともに他端に外蓋に設けた保持爪に係合する係止片を配設し、台形の蓋係合部を外蓋に設けた保持穴に内方より挿入し、係止片を保持爪に係合して外蓋に装着可能とし、外蓋の保持穴と内蓋ユニット部材の蓋係合部とで内蓋ユニット部材の表裏逆セットを防止するよう構成したものである。
【００１１】
これにより、手入れした内蓋ユニット部材を外蓋にセットする際に、消費者が確実にある一定方向のセットを行うことができ、表裏逆セットを未然に防ぐことができる。
【００１２】
【発明の実施の形態】
請求項１に記載の発明は、内鍋を収納する炊飯器本体と、前記炊飯器本体の上面開口部を覆い一端を炊飯器本体に設けたヒンジ部で回動自在とした外蓋と、前記外蓋の下端面に前記内鍋の上面を覆うように着脱自在に設け内鍋を密閉し得る鍋パッキンを有する内蓋ユニット部材とを備え、前記外蓋は台形の保持穴を有し、かつ、前記内蓋ユニット部材は、一端に蓋係合部を突設するとともに他端に外蓋に設けた保持爪に係合する係止片を配設し、台形の前記蓋係合部を前記外蓋に設けた保持穴に内方より挿入し、前記係止片を前記保持爪に係合して前記外蓋に装着可能とし、前記外蓋の保持穴と内蓋ユニット部材の蓋係合部とで内蓋ユニット部材の表裏逆セットを防止するよう構成したものであり、手入れした内蓋ユニット部材を外蓋にセットする際に、消費者が確実にある一定方向のセットを行うことができ、表裏逆セットを未然に防ぐことができるとともに、部品点数を削減し、分解性を向上することができる。
【００１３】
【実施例】
以下、本発明の実施例について、図面を参照しながら説明する。
【００１４】
（実施例１）
図１に示すように、炊飯器本体３は、ヒンジ部１と係止部２とを設け、炊飯器本体３の上面開口部を覆う外蓋４の一端をヒンジ部１で回動自在とし、他端を係支部２で係止可能としている。この炊飯器本体３の内部に内鍋５を着脱自在に収納している。外蓋４の下方には、内蓋７に、内鍋５の上部をシールする蓋パッキン６を具備する内蓋ユニット部材８を着脱自在に装着している。
【００１５】
また、内蓋ユニット部材８の先端部に、蓋閉時に係止部２と係合する蓋係合部９を一体に設け、外蓋４の前部下方には蓋係合部９を保持する保持穴１０を配設している。
【００１６】
また、図２に示すように、外蓋４の後方下方２箇所に、内蓋ユニット部材８を着脱自在に保持する保持爪１１を配設しており、対応する内蓋ユニット部材８の外周後部の２箇所には、内蓋ユニット部材８の着脱操作時に使用するつまみ部１２を配設し、つまみ部１２の内部に、外蓋４に配設した保持爪１１と着脱自在に係合する係止片１３と、この係止片１３を係合保持方向に必要最低限の力で付勢するばね１４を配設している。
【００１７】
これにより、保持爪１１やつまみ部１２の成形時の反り、変形、経年変化による寸法変化を容易に吸収し、安定した着脱力を実現することができる。
【００１８】
また、内蓋ユニット部材８を取り外すときには、つまみ部１２を直接変形させる方式と異なり、ばね１４により必要最低限の力で付勢されている係止片１３を押し込むだけで容易に取り外すことができ、また、内蓋ユニット部材８を取り付けるときには、不安定な樹脂のたわみを利用する構成とは異なり、ばね１４の付勢力により、カチッとした確実な取付感を得ることができ、着脱操作性を著しく向上することができるとともに、製品の品位品格向上に寄与することができる。
【００１９】
つぎに、保持穴１０に内蓋ユニット部材８の蓋係合部９を挿入し、内蓋ユニット部材８を外蓋４に取り付ける場合について説明する。
【００２０】
保持穴１０は、図３に示すように、外蓋４の前方下方に配設している。この保持穴１０に、内蓋ユニット部材８の蓋係合部９を矢印方向に挿入して、保持穴１０により、内蓋ユニット部材８を保持する。
【００２１】
ここで、外蓋４の保持穴１０と内蓋ユニット部材８の蓋係合部９の形状を、図４（ａ）に示すように、それぞれ台形（異形状）にすることにより、消費者が、図４（ｂ）に示すように、内蓋ユニット部材８を裏方向に逆セットしようとしても、干渉部１５が発生し、裏方向でのセットを防止することができる。
【００２２】
これにより、手入れした内蓋ユニット部材８を外蓋４にセットする際に、消費者が確実にある一定方向のセットを行うことができ、表裏逆セットを未然に防ぐことができる。
【００２３】
また、上述のような構成ならば、構成の簡素化が可能となり、部品点数の削減と製品の組み立てと分解性を向上することができる。
【００２４】
（実施例２）
図５に示すように、保持穴１０ａは、外蓋４ａの前方下方に配設し、この保持穴１０ａに、内蓋ユニット部材８ａの蓋係合部９ａを矢印方向に挿入して、保持穴１０ａにより、内蓋ユニット部材８ａを保持する。
【００２５】
ここで、外蓋４ａの保持穴１０ａと内蓋ユニット部材８ａの蓋係合部９ａの位置を、製品の中心Ｏよりずらして配置している。他の構成は上記実施例１と同じである。
【００２６】
上記構成において、図５（ａ）に示すように、内蓋ユニット部材９ａを表方向にして、内蓋ユニット部材８ａの蓋係合部９ａを保持穴１０ａに矢印方向に挿入してセットするときは、何ら問題なく挿入装着することができる。しかし、図５（ｂ）に示すように、裏方向にセットするときは、外蓋４ａの保持穴１０ａに対し、内蓋ユニット部材８ａの蓋係合部９ａは、左右逆の位置になるため、保持穴１０ａの横に配設したリブ１６に干渉し、挿入装着することができない。
【００２７】
これにより、手入れした内蓋ユニット部材８ａを外蓋４ａにセットする際に、消費者が確実にある一定方向のセットを行うことができ、表裏逆セットを未然に防ぐことができる。また、部品点数を削減し、分解性を向上することができる。
【００２８】
（実施例３）
図６に示すように、保持穴１０ｂは、外蓋４ｂの前方下方に配設し、この保持穴１０ｂに、内蓋ユニット部材８ｂの蓋係合部９ｂを矢印方向に挿入して、保持穴１０ｂにより、内蓋ユニット部材８ｂを保持する。
【００２９】
ここで、内蓋ユニット部材８ｂの蓋係合部９ｂの形状を、内蓋ユニット部材９ｂを裏方向にしてセットするとき、内蓋ユニット部材８ｂの蓋係合部９ｂが外蓋４ｂの壁１７に干渉し、内蓋ユニット部材８ｂを表裏逆セットできないよう構成している。他の構成は上記実施例１と同じである。
【００３０】
上記構成において、図６（ａ）に示すように、内蓋ユニット部材９ｂを表方向にして、内蓋ユニット部材８ｂの蓋係合部９ｂを保持穴１０ｂに矢印方向に挿入してセットするときは、何ら問題なく挿入装着することができる。しかし、図６（ｂ）に示すように、裏方向にセットするときは、内蓋ユニット部材８ｂの蓋係合部９ｂが外蓋４ｂの壁１７に干渉し、内蓋ユニット部材８ｂを表裏逆セットすることができない。
【００３１】
これにより、手入れした内蓋ユニット部材８ｂを外蓋４ｂにセットする際に、消費者が確実にある一定方向のセットを行うことができ、表裏逆セットを未然に防ぐことができる。また、部品点数を削減し、分解性を向上することができる。
【００３２】
（実施例４）
図６に示すように、保持穴１０ｃは、外蓋４ｃの前方下方に配設し、この保持穴１０ｃに、内蓋ユニット部材８ｃの蓋係合部９ｃを矢印方向に挿入して、保持穴１０ｃにより、内蓋ユニット部材８ｃを保持する。
【００３３】
ピン１８は、外蓋４ｃにばね１９により上下動自在に設け、内蓋ユニット部材８ｃを表裏逆セットし挿入装着しようとしたときに、内蓋ユニット部材８ｃの蓋係合部９ｃに当たるように構成している。検知スイッチ２０は内蓋ユニット部材８ｃの表裏逆セットを検知するもので、外蓋４ｃに配設している。他の構成は上記実施例１と同じである。
【００３４】
上記構成において、図７（ａ）に示すように、内蓋ユニット部材９ｃを表方向にして、内蓋ユニット部材８ｃの蓋係合部９ｃを保持穴１０ｃに矢印方向に挿入してセットするときは、何ら問題なく挿入装着することができる。しかし、図７（ｂ）に示すように、裏方向にセットするときは、内蓋ユニット部材８ｃの蓋係合部９ｃがピン１８に当たり、ピン１８が上方向に移動し、ピン１８により検知スイッチ２０が働き、その時点で警告の音や表示により、消費者に表裏逆セットをしていることを報知し、未然に内蓋ユニット部材８ｃの表裏逆セットを防止することができる。
【００３５】
【発明の効果】
また、請求項１に記載の発明によれば、内蓋ユニット部材の表裏逆セットを防止するよう構成したから、手入れした内蓋ユニット部材を外蓋にセットする際に、消費者が確実にある一定方向のセットを行うことができ、表裏逆セットを未然に防ぐことができるとともに、部品点数を削減し、分解性を向上することができる。
【図面の簡単な説明】
【図１】  本発明の第１の実施例の炊飯器の一部切欠した側面図
【図２】  （ａ）同炊飯器の外蓋の下面図
（ｂ）同炊飯器の外蓋のＡ−Ａ線拡大断面図
【図３】  同炊飯器の要部分解拡大斜視図
【図４】  （ａ）同炊飯器の蓋ユニット部材を表方向にセットした状態の要部正面図
（ｂ）同炊飯器の蓋ユニット部材を裏方向にセットした状態の要部正面図
【図５】  （ａ）本発明の第２の実施例の炊飯器の蓋ユニット部材を表方向に挿入する場合の要部分解斜視図
（ｂ）同炊飯器の蓋ユニット部材を裏方向に挿入する場合の要部分解斜視図
【図６】  （ａ）本発明の第３の実施例の炊飯器の蓋ユニット部材を表方向にセットした状態の要部断面図
（ｂ）同炊飯器の蓋ユニット部材を裏方向に挿入する場合の要部断面図
【図７】  （ａ）本発明の第４の実施例の炊飯器の蓋ユニット部材を表方向にセットした状態の要部断面図
（ｂ）同炊飯器の蓋ユニット部材を裏方向にセットした状態の要部断面図
【図８】  従来の炊飯器の一部切欠した側面図
【図９】  （ａ）同炊飯器の外蓋の下面図
（ｂ）同炊飯器の外蓋のＢ方向矢視図
（ｃ）同炊飯器の外蓋のＣ−Ｃ線拡大断面図
【符号の説明】
１  ヒンジ部
３  炊飯器本体
４  外蓋
５  内鍋
６  蓋パッキン
８  内蓋ユニット部材
９  蓋係合部
１０  保持穴
１１  保持爪
１３  係止片
【図１】
0004016618.tif 000002
【図２】
0004016618.tif 000003
【図３】
0004016618.tif 000004
【図４】
0004016618.tif 000005
【図５】
0004016618.tif 000006
【図６】
0004016618.tif 000007
【図７】
0004016618.tif 000008
【図８】
0004016618.tif 000009
【図９】
0004016618.tif 000010